【手続補正書】
【提出日】平成21年8月20日(2009.8.20)
【手続補正１】
【補正対象書類名】特許請求の範囲
【補正対象項目名】全文
【補正方法】変更
【補正の内容】
【特許請求の範囲】
【請求項１】
回路であって、
第１の電気端子と第２の電気端子との間に結合されるパワー・スイッチと、
前記パワー・スイッチの前記第１の電気端子に結合されるエネルギ伝達エレメントと、
前記第２の電気端子に結合される電源レールと、
前記エネルギ伝達エレメントおよび前記パワー・スイッチに結合される制御回路とを含み、
前記制御回路は、前記回路の出力を調整するために前記エネルギ伝達エレメントの両端間の電圧から導かれる信号に応じて前記パワー・スイッチのスイッチングを行う、回路。
【請求項２】
フォト・カプラをさらに含み、前記フォト・カプラは、
前記エネルギ伝達エレメントおよび前記回路の前記出力に結合される入力発光ダイオード（ＬＥＤ）と、
前記制御回路に結合される出力トランジスタとを含む、請求項１に記載の回路。
【請求項３】
前記出力トランジスタを通る電流が、前記制御回路によって受け取られるように結合され、かつ、前記エネルギ伝達エレメントにわたる電圧から導かれる信号に応じたものである、請求項２に記載の回路。
【請求項４】
前記エネルギ伝達エレメントが、１次巻き線および２次巻き線を有するトランスを含む、請求項１から３のいずれかに記載の回路。
【請求項５】
前記エネルギ伝達エレメントにわたる前記電圧が、前記１次巻き線の両端間の反射電圧を含む、請求項４に記載の回路。
【請求項６】
前記パワー・スイッチが、金属酸化物半導体電界効果トランジスタ（ＭＯＳＦＥＴ）を含む、請求項１から５のいずれかに記載の回路。
【請求項７】
前記ＭＯＳＦＥＴが、ソース端子を前記エネルギ伝達エレメントに結合し、ドレイン端子を前記電源レールに結合し、かつゲート端子を前記制御回路に結合したｎチャンネルＭ
ＯＳＦＥＴである、請求項６に記載の回路。
【請求項８】
前記パワー・スイッチのオフ・サイクルの間に前記１次巻き線と並列に結合される第１のキャパシタをさらに含み、前記第１のキャパシタは、前記パワー・スイッチのオン・サイクルの間は前記１次巻き線から切り離され、前記制御回路が前記第１のキャパシタに結合されており、
前記１次巻き線にわたる前記電圧から導かれる前記信号が、前記２次巻き線の両端間の電圧に応じたものとなる、請求項４に記載の回路。
【請求項９】
前記制御回路が、前記パワー・スイッチに結合されるパルス幅変調器を含み、前記パルス幅変調器が、前記エネルギ伝達エレメントにわたる前記電圧から導かれる前記信号に応じて前記パワー・スイッチをパルス幅変調する、請求項１から８のいずれかに記載の回路。
【請求項１０】
前記制御回路が、前記パワー・スイッチに結合されるオン／オフ制御回路を含み、前記オン／オフ制御回路が、前記パワー・スイッチによって受け取られるように結合された制御信号の周期を、前記エネルギ伝達エレメントにわたる前記電圧から導かれる前記信号に応じて調整する、請求項１から９のいずれかに記載の回路。
【請求項１１】
前記エネルギ伝達エレメントにわたる前記電圧から導かれる前記信号がしきい値を超えたことに応答して、前記制御回路が前記パワー・スイッチのスイッチングをディスエーブルする、請求項１から１０のいずれかに記載の回路。
【請求項１２】
前記制御回路および前記パワー・スイッチが３つの電気端子しか有していないシングル・モノリシック・チップ上に含まれる、請求項１から１１のいずれかに記載の回路。
【請求項１３】
前記回路の出力を調整するための前記エネルギ伝達エレメントにわたる前記電圧から導かれる前記信号の制御は、前記エネルギ伝達エレメントの入力における前記電圧から導かれる電流を含む、請求項１から１２のいずれかに記載の回路。
【請求項１４】
方法であって、
入力電源レールとエネルギ伝達エレメントのエネルギ伝達エレメント入力との間に結合されるスイッチのスイッチングを行うステップを含み、前記エネルギ伝達エレメントは、エネルギ伝達エレメント入力およびエネルギ伝達エレメント出力を含み、前記方法はさらに、
前記スイッチのスイッチングに応じて、エネルギを前記エネルギ伝達エレメント入力から前記エネルギ伝達エレメント出力に伝達するステップと、
信号を前記エネルギ伝達エレメント出力から前記エネルギ伝達エレメント入力に反射させるステップと、
前記エネルギ伝達エレメント出力からの前記反射信号に応じて、前記エネルギ伝達エレメント入力および前記スイッチに結合される制御回路で前記スイッチのスイッチングを制御するステップとを含む、方法。
【請求項１５】
前記エネルギ伝達エレメント入力において、前記エネルギ伝達エレメント出力からの前記反射信号から電流を導くステップと、
フォト・カプラの出力トランジスタを通る電流を前記制御回路で受け取るステップとを含み、前記フォト・カプラは、前記エネルギ伝達エレメント出力および電源の出力および前記制御回路に結合される出力トランジスタに結合される入力発光ダイオード（ＬＥＤ）を含む、請求項１４に記載の方法。
【請求項１６】
エネルギを前記エネルギ伝達エレメント入力から前記エネルギ伝達エレメント出力に伝達するステップは、エネルギを、前記エネルギ伝達エレメント入力に結合されるトランスの１次巻き線から前記エネルギ伝達エレメント出力に結合される前記トランスの２次巻き線に伝達するステップを含む、請求項１４または１５に記載の方法。
【請求項１７】
前記エネルギ伝達エレメント入力における前記エネルギ伝達エレメント出力からの前記反射信号は、前記１次巻き線の両端間の電圧を含む、請求項１６に記載の方法。
【請求項１８】
前記スイッチのスイッチングを行うステップは、ソース端子を前記エネルギ伝達エレメント入力に結合し、ドレイン端子を前記入力電源レールに結合し、かつゲート端子を前記制御回路に結合したｎチャンネルＭＯＳＦＥＴのスイッチングを行うステップを含む、請求項１４から１７のいずれかに記載の方法。
【請求項１９】
前記スイッチのオフ・サイクルの間に前記１次巻き線と並列に結合される第１のキャパシタを結合するステップと、
前記スイッチのオン・サイクルの間、前記第１のキャパシタを前記１次巻き線から切り離すステップとをさらに含み、
前記制御回路は、前記第１のキャパシタに結合され、
前記エネルギ伝達エレメント入力における前記エネルギ伝達エレメント出力からの前記反射信号は、前記エネルギ伝達エレメント出力の両端間の電圧に応じたものである、請求項１６に記載の方法。
【請求項２０】
制御回路で前記スイッチのスイッチングを制御するステップは、前記エネルギ伝達エレメント入力における前記エネルギ伝達エレメント出力からの前記反射信号に応じて、前記スイッチに結合される前記制御回路に含まれるパルス幅変調器で前記スイッチをパルス幅変調するステップを含む、請求項１４から１９のいずれかに記載の方法。
【請求項２１】
制御回路で前記スイッチのスイッチングを制御するステップは、前記スイッチに結合される前記制御回路に含まれるオン／オフ制御回路で、前記スイッチによって受け取られるように結合された制御信号の周期を、前記エネルギ伝達エレメント入力における前記エネルギ伝達エレメント出力からの前記反射信号に応じて調整するステップを含む、請求項１４から２０のいずれかに記載の方法。
【請求項２２】
制御回路で前記スイッチのスイッチングを制御するステップは、前記エネルギ伝達エレメント入力における前記エネルギ伝達エレメント出力からの前記反射信号がしきい値を超えたことに応答して、前記スイッチのスイッチングをディスエーブルするステップを含む、請求項１４から２１のいずれかに記載の方法。
【請求項２３】
１次巻き線と２次巻き線とを有したエネルギー伝達エレメントと、前記１次巻き線と直列に接続されたスイッチとを有したスイッチ・モード電源の出力調整方法において、
出力調整回路が、１次巻き線上の反射電圧をフィードバックとして用いて前記スイッチのスイッチングを制御することによって、２次巻き線からのフィードバックなしに、該スイッチ・モード電源の出力を調整する、方法。
【請求項２４】
前記スイッチングの制御が該スイッチのデューティ・サイクルを減少させることを含んでいる、請求項２３に記載の方法。
【請求項２５】
前記スイッチ・モード電源は発振器をさらに備えており、前記スイッチングの制御が前記発振器の所定のスイッチング・サイクルの間前記スイッチのスイッチングをディスエーブルすることを含んでいる、請求項２３に記載の方法。
【請求項２６】
前記スイッチングの制御が、前記電源の出力のフィードバックなしに行われる、請求項２３に記載の方法。